(57)【要約】【課題】軒樋をその内面をも支持して強固に取付け保持でき、取付け対応が容易に可能となる樋受け具を提供すること。【解決手段】建物に固定可能な固定部１を有する樋受け本体２に、軒樋３の一側端部４と他側端部５を掛止可能な掛止部６が設けられている樋受け具において、前記樋受け本体２に、前記掛止部６に掛止められた前記軒樋３の内面に当接してこの軒樋３を支持する内面支持部材７が設けられていると共に、この内面支持部材７は、線材11から成り、端部に設けられた取付手段８を介して前記樋受け本体２に取付けられている樋受け具。【選択図】図１
2018150809.tif 000002
【特許請求の範囲】
【請求項１】
建物に固定可能な固定部を有する樋受け本体に、軒樋の一側端部と他側端部を掛止可能な掛止部が設けられている樋受け具において、前記樋受け本体に、前記掛止部に掛止められた前記軒樋の内面に当接してこの軒樋を支持する内面支持部材が設けられていると共に、この内面支持部材は、線材から成り、端部に設けられた取付手段を介して前記樋受け本体に取付けられていることを特徴とする樋受け具。
【請求項２】
建物の軒先側に向ける前壁と、軒内側に向ける後壁と、前壁と後壁の下端部間に架設する底壁とから成り、前記前壁の上端部が前記一側端部として構成され、前記後壁の上端部が前記他側端部として構成されている溝型の前記軒樋を掛止可能な樋受け具であって、前記内面支持部材は、前記掛止部に前記軒樋の一側端部と他側端部を掛止した際に、前記軒樋の少なくとも底壁の内面に当接可能な形状に形成されていることを特徴とする請求項１記載の樋受け具。
【請求項３】
前記内面支持部材は、前記掛止部に前記軒樋の一側端部と他側端部を掛止した際に、前記軒樋の前壁と底壁との間の連設角部の内面に当接可能な形状に形成されていることを特徴とする請求項２記載の樋受け具。
【請求項４】
前記内面支持部材は、この内面支持部材が前記軒樋の連設角部内面に当接した状態で前記軒樋を変形させることにより、軒樋の前記一側端部と前記他側端部を前記掛止部に掛止し得る形状に形成されていることを特徴とする請求項３記載の樋受け具。
【請求項５】
前記取付手段は前記内面支持部材の一端部と他端部に設けられて、この取付手段を介して前記樋受け本体に前記内面支持部材が設けられた構成とされていると共に、前記取付手段は、前記樋受け本体の軒先側となる外側部若しくはその反対側となる内側部に取付け可能な第一取付部と、前記樋受け本体の前記内側部若しくは前記外側部に取付け可能な第二取付部とから成る構成とされていることを特徴とする請求項１〜４のいずれか１項に記載の樋受け具。
【請求項６】
前記内面支持部材は、撓み弾性を有する前記線材から成り、前記取付手段は、前記内面支持部材を構成する線材の一端部に設けられた前記第一取付部と、反対側の他端部に設けられた前記第二取付部とで構成され、この第一取付部及び第二取付部を挿通係止可能な係止孔が前記樋受け本体の前記外側部と前記内側部とに設けられて、前記内面支持部材を構成する線材を撓ませることにより前記第一取付部と前記第二取付部とを前記樋受け本体の前記外側部及び前記内側部の前記各係止孔に夫々挿通係止可能に構成されていることを特徴とする請求項４記載の樋受け具。
【発明の詳細な説明】
【技術分野】
【０００１】
本発明は、軒樋を軒先に設置するための樋受け具に関するものである。
【背景技術】
【０００２】
一般的な樋受け具は、建物に固定される固定部を有する樋受け本体に、軒樋の一側（外側）端部と他側（内側）端部を掛止可能な掛止部が設けられているものが一般的である（例えば、特許文献１参照）。
【先行技術文献】
【特許文献】
【０００３】
【特許文献１】登録実用新案第３０３２４２１号公報
【発明の概要】
【発明が解決しようとする課題】
【０００４】
近年は、異常気象により想定外の強風が吹き荒れることも多く、このような強風の煽りにも耐えられるように軒樋をもっと高強度に取付けたいという要望がある。
【０００５】
本発明は、このような要望に応えようと開発されたもので、軒樋をその一側端部と他側端部を掛止めつつ軒樋の内面をも支持して強固に取付け設置でき、且つ形状の異なる軒樋の取付けにも対応する実用性に優れた樋受け具を提供するものである。
【課題を解決するための手段】
【０００６】
添付図面を参照して本発明の要旨を説明する。
【０００７】
建物に固定可能な固定部１を有する樋受け本体２に、軒樋３の一側端部４と他側端部５を掛止可能な掛止部６が設けられている樋受け具において、前記樋受け本体２に、前記掛止部６に掛止められた前記軒樋３の内面に当接してこの軒樋３を支持する内面支持部材７が設けられていると共に、この内面支持部材７は、線材11から成り、端部に設けられた取付手段８を介して前記樋受け本体２に取付けられていることを特徴とする樋受け具に係るものである。
【０００８】
また、建物の軒先側に向ける前壁30と、軒内側に向ける後壁34と、前壁30と後壁34の下端部間に架設する底壁33とから成り、前記前壁30の上端部が前記一側端部４として構成され、前記後壁34の上端部が前記他側端部５として構成されている溝型の前記軒樋３を掛止可能な樋受け具であって、前記内面支持部材７は、前記掛止部６に前記軒樋３の一側端部４と他側端部５を掛止した際に、前記軒樋３の少なくとも底壁33・33Ａの内面に当接可能な形状に形成されていることを特徴とする請求項１記載の樋受け具に係るものである。
【０００９】
また、前記内面支持部材７は、前記掛止部６に前記軒樋３の一側端部４と他側端部５を掛止した際に、前記軒樋３の前壁30・30Ａと底壁33・33Ａとの間の連設角部35の内面に当接可能な形状に形成されていることを特徴とする請求項２記載の樋受け具に係るものである。
【００１０】
また、前記内面支持部材７は、この内面支持部材７が前記軒樋３の連設角部35内面に当接した状態で前記軒樋３を変形させることにより、軒樋３の前記一側端部４と前記他側端部５を前記掛止部６に掛止し得る形状に形成されていることを特徴とする請求項３記載の樋受け具に係るものである。
【００１１】
また、前記取付手段８は前記内面支持部材７の一端部と他端部に設けられて、この取付手段８を介して前記樋受け本体２に前記内面支持部材７が設けられた構成とされていると共に、前記取付手段８は、前記樋受け本体２の軒先側となる外側部若しくはその反対側となる内側部に取付け可能な第一取付部９と、前記樋受け本体２の前記内側部若しくは前記外側部に取付け可能な第二取付部10とから成る構成とされていることを特徴とする請求項１〜４のいずれか１項に記載の樋受け具に係るものである。
【００１２】
また、前記内面支持部材７は、撓み弾性を有する前記線材11から成り、前記取付手段８は、前記内面支持部材７を構成する線材11の一端部に設けられた前記第一取付部９と、反対側の他端部に設けられた前記第二取付部10とで構成され、この第一取付部９及び第二取付部10を挿通係止可能な係止孔12が前記樋受け本体２の前記外側部と前記内側部とに設けられて、前記内面支持部材７を構成する線材11を撓ませることにより前記第一取付部９と前記第二取付部10とを前記樋受け本体２の前記外側部及び前記内側部の前記各係止孔12に夫々挿通係止可能に構成されていることを特徴とする請求項４記載の樋受け具に係るものである。
【発明の効果】
【００１３】
本発明は上述のように構成したから、軒樋の一側端部と他側端部を掛止部に掛止めると共に、軒樋の内面を内面支持部材に当接して軒樋を樋受け本体に対し強固に取付けでき、しかも、内面支持部材が線材から成るため、軒樋には様々な形のものが存在しているが、使用する（取付ける）軒樋の形状に対応した内面支持部材の形状設定が例えば線材を曲げ加工するなどして簡易に設計実現可能となるなど、極めて実用性に優れた樋受け具となる。
【００１４】
また、請求項２，３記載の発明においては、内面支持部材により軒樋の底壁、さらには前壁と底壁の間の連設角部の内面を支持でき、これにより軒樋の変形が防止されて軒樋を強固に取付けできる（掛止部からの軒樋の脱落を防止できる）一層実用性に優れた構成の樋受け具となる。
【００１５】
また、請求項４記載の発明においては、取付けた軒樋は変形させない限り取外すことができない上に、軒樋の変形は内面支持部材により良好に防止されるため、軒樋の取付状態が一層強固となる極めて実用性に優れた構成の樋受け具となる。
【００１６】
また、請求項５，６記載の発明においては、第一取付部を樋受け本体の外側部に取付けると共に第二取付部を樋受け本体の内側部に取付ける内面支持部材の第一取付態様と、樋受け本体に対し内面支持部材を取付け可能な取付手段を簡易に設計実現可能となるなど、一層実用性に優れた構成の樋受け具となる。
【図面の簡単な説明】
【００１７】
【図１】実施例１を示す、内面支持部材の第一取付態様での斜視図である。
【図２】図１において、内面支持部材を分解した斜視図である。
【図３】実施例１を示す、内面支持部材の第二取付態様での斜視図である。
【図４】図３において、内面支持部材を分解した斜視図である。
【図５】実施例１の内面支持部材の第一取付態様における、固定体に対する樋支持体の出入り調整構造を示す作動説明図である。
【図６】実施例１の内面支持部材の第一取付態様での使用状態を示す概略説明斜視図である。
【図７】実施例１の内面支持部材の第一取付態様での使用状態を示す一部を切欠いた説明側面図である。
【図８】実施例１の内面支持部材の第二取付態様での使用状態を示す一部を切欠いた説明側面図である。
【図９】実施例２を示す斜視図である。
【図１０】実施例２の使用状態を示す、軒樋を切欠いた説明側面図である。
【発明を実施するための形態】
【００１８】
好適と考える本発明の実施形態を、図面に基づいて本発明の作用を示して簡単に説明する。
【００１９】
建物の鼻板や破風板などの取付箇所41に樋受け本体２を固定部１により固定し、この樋受け本体２に設けられている掛止部６に軒樋３の一側端部４と他側端部５を掛止すると、屋根40の軒先に軒樋３が設置される。
【００２０】
また、この際、樋受け本体２に取付手段８を介して取付けられている内面支持部材７が軒樋３の内面に当接してこの内面支持部材７が軒樋３を支持することになる。
【００２１】
即ち、軒樋３は、その一側端部４と他側端部５が掛止められることに加えて内面までもが支持された状態で樋受け本体２に対し確固に取付けられるので、強風などに煽られても変形を生じにくく脱落しにくい。
【００２２】
また、本発明の場合、内面支持部材７は、線材11から成るものとされている。
【００２３】
そのため、軒樋３には様々な形のものが存在しているが、線材11は加工が容易であることから、使用したい軒樋３に対応する形状に内面支持部材７を設定構成することが容易に行われる。
【実施例１】
【００２４】
本発明の具体的な実施例１について、図１〜図８に基づいて説明する。
【００２５】
本実施例の樋受け具は、建物の鼻板や破風板などの取付箇所41に固定可能な固定部１を有する樋受け本体２に、軒樋３の一側端部４と他側端部５を掛止可能な掛止部６が設けられている。
【００２６】
具体的には、本実施例では、建物に固定可能な固定部１を有する樋受け本体２に、軒樋３の一側端部４と他側端部５を掛止可能な掛止部６が設けられている樋受け具において、前記樋受け本体２に、前記掛止部６に掛止められた前記軒樋３の内面に当接してこの軒樋３を支持する内面支持部材７が、取付手段８を介して着脱自在に設けられ、この内面支持部材７は、前記樋受け本体２に対する取付け向きを変更可能な前記取付手段８を備えて、この取付手段８を介した内面支持部材７の取付け向きの変更により、この内面支持部材７で内面を支持しつつ異なる形状の軒樋３を前記掛止部６に掛止可能な形状に構成されているか、若しくは異なる形状の内面支持部材７を複数種類備えて、この異なる種類の内面支持部材７を前記取付手段８を介して前記樋受け本体２に対し付け替えることにより、この内面支持部材７で内面を支持しつつ異なる形状の軒樋３を前記掛止部６に掛止可能に構成されている。
【００２７】
すなわち、建物の軒先側に向ける前壁30・30Ａと、軒内側に向ける後壁34・34Ａと、前壁30・30Ａと後壁34・34Ａの下端部間に架設する底壁33・33Ａとから成り、前記前壁30・30Ａの上端部が前記一側端部４若しくは前記他側端部５として構成され、前記後壁34・34Ａの上端部が前記他側端部５若しくは前記一側端部４として構成されている溝型の前記軒樋３を掛止可能な樋受け具であって、前記内面支持部材７は、前記掛止部６に前記軒樋３の一側端部４と他側端部５を掛止した際に、前記軒樋３の前壁30・30Ａと底壁33・33Ａとの間の連設角部35の内面に当接可能な形状に形成されている。
【００２８】
また、本実施例の樋受け本体２は、図１〜図５に示すように、前記固定部１を有する金属製の固定体13と、前記掛止部６を有する金属製の樋支持体14とから成り、この固定体13に樋支持体14がスライド自在に重合連結されて、固定体13に対し樋支持体14が、この樋支持体14に取付けられる軒樋３の幅方向（軒樋３の長さ方向と直交する方向）にスライド移動調整自在に設けられている（樋支持体14に取付けた軒樋３が、固定体13を固定した取付箇所41に対して建物の内外方向に出入り移動調整可能に構成されている。）。
【００２９】
具体的には、本実施例の固定体13は、図１〜図４に示すように、平面視で略帯板状をなす金属板材で構成されている。また、この固定体13を構成する帯板材の基端部は、この固定体13の長さ方向と直交する方向に板面を有する形状に一体成形されると共に、この基端部に止着孔15が複数貫通形成されて、この止着孔15付の基端部が前記固定部１として構成されている。即ち、この止着孔15を介して前記取付箇所41に釘やビスなどの止着具16を打ち込むことにより、固定部１を軒先に固定できるように構成されている。
【００３０】
また、この固定体13を構成する帯板材は、前記固定部１より先端側の平坦板部が、後述する樋支持体14のスライド板部19をスライド自在に重合する重合板部17として構成され、さらにこの重合板部17の長手方向の左右両側縁が下方へ直角に垂下折曲されて、この左右の垂下片部18間の重合板部17下面に、後述する樋支持体14のスライド板部19がスライド移動自在に重合するように構成されている（垂下片部18が樋支持体14のスライドガイドとして機能するように構成されている。）。
【００３１】
本実施例の前記樋支持体14は、図１〜図４に示すように、平面視で略帯板状をなす金属板材で構成されていると共に、途中部が下方へ直角に垂下折曲されて側面視略転Ｌ字板状に形成され、その垂下部が前記固定体13の固定部１側（内側）に配されて、水平部が固定体13の前記重合板部17に重合するように構成されている。
【００３２】
また、この樋支持体14の外側に配される水平部の先端部と、内側に配される垂下部の下端部とが上方へフック状に折曲されてこの外側フック部６と内側フック部６とが軒樋３の一側端部４及び他側端部５を掛止可能な前記掛止部６として構成されている。
【００３３】
また、この樋支持体14の外側に配される水平部が、前記固定体13の重合板部17にスライド自在に重合する前記スライド板部19として構成され、さらにこのスライド板部19の長手方向の左右両側縁が下方へ直角に垂下折曲されて、この左右の折曲片部20が前記固定体13の重合板部17に下方からスライド板部19を重合した際に前記垂下片部18の対向内面に近接若しくは当接する形状に構成されている。即ち、垂下片部18をスライドガイドとしてスライド板部19（樋支持体14）が重合板部17（固定体13）に対し横ズレ防止状態でスライド移動可能に構成されている。
【００３４】
また、固定体13と樋支持体14とのスライド移動可能な取付け構造について説明すると、固定体13の重合板部17の先端寄りに設けられた取付孔21と、樋支持体14のスライド板部19に設けられた長孔22とにハンドル支持体23が挿通され、このハンドル支持体23には、下端に前記スライド板部19に沿設する受座体24が設けられていると共に、上端にハンドル25が回動自在に枢着されて、受座体24とハンドル25とに挟まれることにより固定体13と樋支持体14とが分離不能状態に取付けられている（図５参照）。
【００３５】
また、このハンドル25は、その枢着部側端部がカム部26に形成されて、このハンドル25を重合板部17上に倒すように回動操作すると、前記カム部26によりこのカム部26（ハンドル25）と前記受座体24との間隔が狭められ、これにより重合板部17とスライド板部19とが挟持されて重合板部17とスライド板部19とがスライド移動不能なスライドロック状態（図７参照）に保持されることとなり、一方、このスライドロック状態からハンドル25を起立するように回動操作すると、カム部26によってこのカム部26（ハンドル25）と前記受座体24との間隔が広げられ、これにより重合板部17とスライド板部19とがスライド移動可能なロック解除状態（図５参照）となるように構成されている。
【００３６】
また、図５，図７に示すように、スライド板部19はその長さ方向に凹凸が連続する断面波板形状に形成され、この波板状部下面の凹所へ下方から係合可能な係合片28を有する位置決め部材27が前記受座体24とスライド板部19との間に存するようにして前記ハンドル支持体23に設けられ、前記ハンドル25操作により前記スライドロック状態とすると、前記係合片28がスライド板部19の波板状部下面の適当な凹所へ下方から係合して重合板部17とスライド板部19とが確固なスライドロック状態となるように構成されている。
【００３７】
本実施例は、前記樋受け本体２の樋支持体14に、その前記掛止部６に掛止められた前記軒樋３の内面に当接してこの軒樋３内面を支持する内面支持部材７が、取付手段８を介して着脱自在に設けられている。
【００３８】
具体的には、内面支持部材７は、図１〜図５に示すように、撓み弾性を有する金属製線材11から成り、その両端部が上方に配置する正面視略転コ字状をなすと共に、両端部が前後方向に離間した側面視で略Ｖ（略Ｕ）字状をなす形状に形成されている。
【００３９】
また、本実施例の取付手段８は、前記内面支持部材７を構成する線材11の両端部が互いに直角内方へ折曲されて、この折曲両端部が第一取付部９と第二取付部10に構成されていると共に、この第一取付部９及び第二取付部10を挿脱自在に挿通係止可能な係止孔12が、前記樋受け本体２の前記樋支持体14の外側部たる水平部の先端部と内側部たる垂下部の下端部とに設けられて、前記内面支持部材７を構成する線材11を撓ませ、第一取付部９と第二取付部10とを互いに左右外側方向へ離反させることにより、前記第一取付部９と前記第二取付部10とを前記樋支持体14の外側部及び内側部の前記係止孔12に着脱自在に挿通取付け可能に構成されている。
【００４０】
また、さらに詳しくは、前記樋支持体14は、その外側部たる水平部と内側部たる垂下部とにも前記折曲片部20が設けられ、この水平部の先端部（外側端部）の折曲片部20と垂下部の下端部（内側端部）の折曲片部20とに前記係止孔12が貫通形成されている。
【００４１】
また、本実施例の前記取付手段８は、第一取付部９を樋受け本体２の樋支持体14の外側端部の係止孔12に挿通取付けすると共に第二取付部10を樋支持体14の内側端部の係止孔12に挿通取付けする第一取付態様Ｔ１と、第一取付部９を樋支持体14の内側端部の係止孔12に挿通取付けすると共に第二取付部10を樋支持体14の外側端部の係止孔12に挿通取付けする第二取付態様Ｔ２とを、内面支持部材７の樋受け本体２への取付け向きを１８０度変更することにより選択可能に構成されており、この内面支持部材７は、その前記第一取付態様Ｔ１と第二取付態様Ｔ２とで、異なる形状の軒樋３を取付け可能な形状に構成されている。
【００４２】
具体的には、本実施例の内面支持部材７は、その一端部が他端部より高さのある形状に形成されており、これにより前記第一取付態様Ｔ１と前記第二取付態様Ｔ２とでは、樋支持体14からの内面支持部材７の垂下長が大きく異なり、これにより異なる形状、即ち高さの異なる二種類の軒樋３を取付け可能に構成されている。
【００４３】
また、ここで、本実施例で使用する軒樋３について説明すると、建物の外側（軒先側）に配設する前壁30と、内側に配設する平板状の後壁34と、前壁30と後壁34の下端部間に架設する平板状の底壁33とが連設する溝状体に構成されている。
【００４４】
また、この軒樋３の前壁30は、前記底壁33の前端部から前方へ上り傾斜状態で連設する平板状の前傾下壁部31と、この前傾下壁部31の上端部から後方へ上り傾斜状態で連設する平板状の後傾上壁部32とを有する断面くの字状に折曲形成されている。
【００４５】
また、軒樋３の前記前壁30の後傾上壁部32の上端部を側面視逆Ｖ字状に折曲することにより、このＶ字折曲部が、前記樋支持体14の外側掛止部６と内側掛止部６とのいずれにも係止可能な一側端部４として構成され、また、前記後壁34の上端部を同様に側面視逆Ｖ字状に折曲することにより、このＶ字折曲部が、樋支持体14の内側掛止部６と外側掛止部６とのいずれにも係止可能な他側端部５として構成されている。
【００４６】
また、この軒樋３は、前記後壁34の上下幅寸法を、前記前壁30の後傾上壁部32の上下幅寸法と異ならせている。即ち、後壁34の上下幅寸法が、後傾上壁部32の上下幅寸法より幅広となるように設定されており、さらに詳しくは、後壁34の上下幅寸法が、後傾上壁部32の上下幅寸法の約２倍の幅寸法となるように設定されている。
【００４７】
また、この軒樋３は、側面視で前傾下壁部31の上下幅が最も幅広く、これに次いで後壁34の上下幅が幅広く、これに次いで底壁33の前後幅が幅広く、これに次いで後傾上壁部32の上下幅が幅広く（最も短く）なる形状に構成されている。
【００４８】
また、この軒樋３は、図６，図７に示したような、前記後壁34を前記取付箇所41に沿設状態に配設する使用態様（第一使用態様Ａ１）と、この第一使用態様Ａ１から、軒樋３を水平方向に１８０度反転させて取付け向きを変更したあと、軒樋３の長さ方向を回転軸にして軒樋３を６０度ほど回転させて前傾下壁部31を水平状態とすることにより、図８に示したような、前記前壁30の後傾上壁部32を前記取付箇所41に沿設状態に配設して、この後傾上壁部32を後壁34Ａとして機能させ、前記前傾下壁部31を底壁33Ａとして機能させ、前記底壁33を前壁30Ａの前傾下壁部31Ａとして機能させ、前記後壁34を前壁30Ａの後傾上壁部32Ａとして機能させる使用態様（第二使用態様Ａ２）とを選択可能な形状に構成されている。
【００４９】
そして、この第一使用態様Ａ１と第二使用態様Ａ２とでは、前記後壁34の上下幅寸法と、前記前壁30の後傾上壁部32の上下幅寸法と異ならせたことによって、第一使用態様Ａ１の軒樋３の高さと、第二使用態様Ａ２の軒樋３の高さとが異なる高さとなるように構成されている。
【００５０】
具体的には、第一使用態様Ａ１の軒樋３は、第二使用態様Ａ２の軒樋３に比べて数ｃｍ（好ましくは２〜４ｃｍ）ほど高さが高くなるように構成されている。即ち、第一使用態様Ａ１は、高さのある前記取付箇所41を具備する建物への使用に適し、第二使用態様Ａ２は、低めの取付箇所41を具備する建物への使用に適するように構成されているもので、本実施例の軒樋３一体で二種類の高さ寸法の軒樋として使用することが可能となる。
【００５１】
また、上記したように第一使用態様Ａ１と第二使用態様Ａ２とは高さが異なるものの、第一使用態様Ａ１の有効排水断面積と、第二使用態様Ａ２の有効排水断面積とは略同程度となるように前記軒樋３の形状が設定構成されている。
【００５２】
また、第一使用態様Ａ１及び第二使用態様Ａ２の軒樋３の本実施例への取付け構造について説明すると、第一使用態様Ａ１では、軒樋３の前記一側端部４が前記樋支持体14の外側掛止部６に掛止められると共に、軒樋３の前記他側端部５が樋支持体14の内側掛止部６に掛止められ、第二使用態様Ａ２では、軒樋３の前記一側端部４が樋支持体14の内側掛止部６に掛止められると共に、軒樋３の前記他側端部５が樋支持体14の外側掛止部６に掛止められる。
【００５３】
また、この軒樋３は、後傾上壁部32の下端部と前傾下壁部31の上端部が９０度の角度をもって連設し、この前傾下壁部31の下端部と底壁33の前端部が１２０度の角度をもって連設し、この底壁33の後端部と後壁34の下端部が９０度の角度をもって連設する形状に形成されている。
【００５４】
また、この軒樋３は、一側端部４が他側端部５より上方に位置し、尚且つ第二使用態様Ａ２とした際にも、他側端部５が一側端部４より上方に配置すると共に、第一使用態様Ａ１での一側端部４と他側端部５の配置関係と、第二使用態様Ａ２での他側端部５と一側端部４との配置関係とが同一の配置関係となる形状に、軒樋３が構成されている。言い換えると、軒樋３は、前記第一使用態様Ａ１の一側端部４の位置と、前記第二使用態様Ａ２の他側端部５の位置とを一致させた際に、前記第一使用態様Ａ１の他側端部５の位置と、前記第二使用態様Ａ２の一側端部４の位置とが一致する形状に形成されている。
【００５５】
また、本実施例の内面支持部材７は、前記第一取付態様Ｔ１が、前記第一使用態様Ａ１の軒樋３の取付けに対応でき、前記第二取付態様Ｔ２が、前記第二使用態様Ａ２の軒樋３の取付けに対応できるように構成されている。
【００５６】
また、この内面支持部材７についてさらに詳しく説明すると、その線材11の下部が側面視で鈍角な略Ｖ字状をなすように折曲形成され、このＶ字状下部の谷部を境にした一側が第一支持杆部７Ａ、他側が第二支持杆部７Ｂとして構成されている。そして、前記第一取付態様Ｔ１では、前記掛止部６に前記第一使用態様Ａ１の前記軒樋３の一側端部４と他側端部５を掛止すると、内面支持部材７の下端の横杆部７Ｃが前傾下壁部31と底壁33の連設角部35の内面に当接すると共に、この下端の横杆部７Ｃの外側に配する前記第一支持杆部７Ａが前傾下壁部31と底壁33の連設角部35付近の前傾下壁部31内面に当接し、内側に配する前記第二支持杆部７Ｂが前傾下壁部31と底壁33の連設角部35付近の底壁33内面に当接してこの二つの内面を支持でき、前記第二取付態様Ｔ２では、前記掛止部６に前記第二使用態様Ａ２の前記軒樋３の一側端部４と他側端部５を掛止すると、内面支持部材７の下端の横杆部７Ｃが前傾下壁部31Ａと底壁33Ａの連設角部35の内面に当接すると共に、この下端の横杆部７Ｃの外側に配する前記第二支持杆部７Ｂが前傾下壁部31Ａと底壁33Ａの連設角部35付近の前傾下壁部31Ａ内面に当接し、内側に配する前記第一支持杆部７Ａが前傾下壁部31Ａと底壁33Ａの連設角部35付近の底壁33Ａ内面に当接してこの二つの内面を支持できるように構成されている。
【００５７】
また、この内面支持部材７は、この内面支持部材７が前記軒樋３の連設角部35内面に当接した状態で前記軒樋３を変形させることにより、軒樋３の前記一側端部４と前記他側端部５を前記掛止部６に掛止し得る形状に形成されている。
【００５８】
即ち、本実施例は、高さの異なる二通りの使用態様（第一使用態様Ａ１と第二使用態様Ａ２）を選択可能な軒樋３を用いることができ、第一使用態様Ａ１も第二使用態様Ａ２も、内面支持部材７の取付け向きを変更することによってこの内面支持部材７で軒樋３の内面を支持しつつ取付けできる樋受け具に構成されている。
【００５９】
尚、内面支持部材７は、後述する実施例２のタイプ、即ち側面視で鋭角な略Ｖ字状の下部を有し、前記第一支持杆部７Ａと第二支持杆部７Ｂとを有しない形状のものを採用しても良い。
【００６０】
また、図示していないが、異なる形状の内面支持部材７を複数種類備えて、この異なる種類の内面支持部材７を前記取付手段８を介して前記樋受け本体２に対し付け替えることにより、この内面支持部材７で内面を支持しつつ異なる形状の軒樋３を前記掛止部６に掛止可能となるような構成を採用しても良い。
【実施例２】
【００６１】
本発明の具体的な実施例２について、図９，図１０に基づいて説明する。
【００６２】
先ず、本実施例で使用する軒樋３について説明すると、実施例１のそれとは異なり、前壁30が立直壁に構成されている。即ち、建物の軒先側に向ける平板状の前壁30と、軒の内側に向ける平板状の後壁34と、前壁30と後壁34の下端部間に架設する平板状の底壁33とが連設する溝状体（転コ字状体）に構成されている。
【００６３】
本実施例は、この軒樋３を取付対象とするもので、前記内面支持部材７の構成を前記実施例１とは異ならせている。
【００６４】
具体的には、本実施例の内面支持部材７は、側面視で鋭角な略Ｖ字状の下部を有し、前記実施例１の第一支持杆部７Ａと第二支持杆部７Ｂとを有しない形状に構成されている。そして、この内面支持部材７の下端の横杆部７Ｃが、建物に対して外側に配する前記軒樋３の前壁30と、この前壁30の下端と連設する底壁33との間の連設角部35の内面に当接してこの連設角部35を支持可能な形状に形成されている。
【００６５】
また、本実施例の取付手段８は、前記実施例１とは異なり、内面支持部材７の取付向きの変更（第一取付態様Ｔ１，第二取付態様Ｔ２の変更）は想定されていない。即ち、本実施例は、線材11に曲げ加工等の加工を施すことにより、使用したい軒樋３に対応する形状の内面支持部材７が形成されている。
【００６６】
他の構成は、前記実施例１と同様である。
【００６７】
尚、本発明は、実施例１，２に限られるものではなく、各構成要件の具体的構成は適宜設計し得るものである。
【符号の説明】
【００６８】
１  固定部
２  樋受け本体
３  軒樋
４  一側端部
５  他側端部
６  掛止部
７  内面支持部材
８  取付手段
９  第一取付部
10  第二取付部
11  線材
12  係止孔
30・30Ａ  前壁
33・33Ａ  底壁
34  後壁
35  連設角部
【図１】
2018150809.tif 000003
【図２】
2018150809.tif 000004
【図３】
2018150809.tif 000005
【図４】
2018150809.tif 000006
【図５】
2018150809.tif 000007
【図６】
2018150809.tif 000008
【図７】
2018150809.tif 000009
【図８】
2018150809.tif 000010
【図９】
2018150809.tif 000011
【図１０】
2018150809.tif 000012